(57)【要約】  オープンベース患者昇降機は、概して上方に延びる第１および第２のマストを有する。第２のマストの下端部の間には間隙が存在する。患者支持部がフレームの上端部から前方に延びる。フレームの下部のベースがフレームを支持する。ベースは、垂直な第１の軸の周りに回動可能に第１のマストの下端部に結合された、前方に延びる第１の脚を有する。第１の脚の反対側にある外端部が、第１のマストの前方に位置する。第２の脚が第２のマストから概して前方に延びる。第２の脚は、垂直な第２の軸の周りに回動可能に第２のマストの下端部に結合される。第２の脚の一部が第２のマストの前方に位置する。第１、第２の脚は、互いに対して近づくようにおよび離れるように、それぞれの軸の周りに回動可能である。【選択図】  図1
2013519457.tif 000002
【特許請求の範囲】
【請求項１】
オープンベース患者昇降機であって、
ａ）概して上方に延びる第１のマストおよび概して上方に延びる第２のマストを含むフレームであって、下部および反対側にある上部を含み、前記第１のマストおよび前記第２のマストが各々前記フレームの前記下部に下端部を含み、前記第２のマストの前記下端部が前記第１のマストの前記下端部から離間して両者間に間隙を規定するフレームと、
ｂ）前記フレームの前記上部から前方に延びる患者支持部と、
ｃ）前記フレームの前記下部に結合されて、床上で前記フレームを支持するベースとを備え、
前記ベースは、（ｉ）前記第１のマストから概して前方に延びる第１の脚と、（ｉｉ）前記第２のマストから概して前方に延びる第２の脚とを備え、
前記第１の脚は、概して垂直な第１の軸であって前記第１のマストの前記下端部を通って延びる第１の軸の周りに回動可能に前記第１のマストの前記下端部に結合された内端部と、反対側にある外端部であって前記第１のマストの前方に位置する外端部を含み、
前記第２の脚は、概して垂直な第２の軸であって前記第２のマストの前記下端部を通って延びる第２の軸の周りに回動可能に前記第２のマストの前記下端部に結合された内端部と、反対側にある外端部であって前記第２のマストの前方に位置する外端部を含み、
前記第１の脚および前記第２の脚が、それぞれ前記第１の軸および前記第２の軸の周りに回動可能で、前記第１の脚および前記第２の脚の前記外端部を互いに対して近づくようにおよび離れるように移動させるベース、を含むことを特徴とするオープンベース患者昇降機。
【請求項２】
前記第１のマストの前記下端部に搭載されて、前記第１のマストの前記下端部の下方に位置する第１の回動ピン、および、前記第２のマストの前記下端部に搭載されて、前記第２のマストの前記下端部の下方に位置する第２の回動ピンをさらに含み、前記第１の脚の前記内端部が、前記第１の回動ピンに受けられて、前記第１の回動ピンの周りに回動可能であり、前記第２の脚の前記内端部が、前記第２の回動ピンに受けられて、前記第２の回動ピンの周りに回動可能であることを特徴とする請求項１に記載のオープンベース患者昇降機。
【請求項３】
前記第１の脚および前記第２の脚の動きをそれぞれ制御する第１の駆動アセンブリおよび第２の駆動アセンブリをさらに含み、各駆動アセンブリが、前記第１の脚および前記第２の脚の一方の前記内端部に駆動可能に結合されたモータを含むことを特徴とする請求項１または２に記載のオープンベース患者昇降機。
【請求項４】
各駆動アセンブリが、前記第１の脚および前記第２の脚の一方の前記内端部に搭載されて、前記内端部から後方に延びるアームをさらに含み、各駆動アセンブリが、前記アームの対応する一方を、前記第１の軸および前記第２の軸の対応する一方の周りに、前後に回転させるように構成されていることを特徴とする請求項３に記載のオープンベース患者昇降機。
【請求項５】
各駆動アセンブリが、
ａ）前記アームに対して概して横切るように延びるウォームスクリューであって、前記モータによって駆動されてその長手軸の周りに回転するウォームスクリュー、
ｂ）前記ウォームスクリューに搭載され、前記ウォームスクリューの回転に応じてその長さ方向に移動可能なブラケット、および
ｃ）前記ブラケットを前記アームに結合するコネクタ
をさらに含むことを特徴とする請求項４に記載のオープンベース患者昇降機。
【請求項６】
前記第１の駆動アセンブリが前記第１のマストの後方に位置し、前記第２の駆動アセンブリが前記第２のマストの後方に位置することを特徴とする請求項３乃至５のいずれか１項に記載のオープンベース患者昇降機。
【請求項７】
前記第１のマストの後方に延びて前記第１のマストの前記下端部の後方で床に係合する第１の支持部、および前記第２のマストの後方に延びて前記第２のマストの前記下端部の後方で床に係合する第２の支持部をさらに含むことを特徴とする請求項１乃至６のいずれか１項に記載のオープンベース患者昇降機。
【請求項８】
前記第１の駆動アセンブリが前記第１の支持部に搭載され、前記第２の駆動アセンブリが前記第２の支持部に搭載されることを特徴とする請求項７に記載のオープンベース患者昇降機。
【請求項９】
前記第１の支持部および第２の支持部が、各々、
ａ）前記第１のマストおよび前記第２のマストの一方の前記下端部から後方に延びる下部支柱であって、前記第１のマストおよび前記第２のマストの一方に隣接する第１の端部、および反対側にある第２の端部を有する下部支柱、ならびに
ｂ）前記下部支柱の前記第１の端部の上方の位置において前記第１のマストおよび前記第２のマストの一方から下方かつ後方に延びる上部支柱を含み、
前記上部支柱は、前記第１のマストおよび前記第２のマストの一方に隣接する第１の端部、および反対側にある第２の端部であって前記下部支柱の前記第２の端部に接合された第２の端部を有することを特徴とする請求項７または８に記載のオープンベース患者昇降機。
【請求項１０】
前記第１の支持部および前記第２の支持部が、各々、前記下部支柱および前記上部支柱の一方の前記第２の端部に搭載された地面係合後輪をさらに含むことを特徴とする請求項９に記載のオープンベース患者昇降機。
【請求項１１】
前記第１の駆動アセンブリならびに前記第１の支持部の前記下部支柱および前記上部支柱を収容する第１の筺体、ならびに前記第２の駆動アセンブリならびに前記第２の支持部の前記下部支柱および前記上部支柱を収容する第２の筺体をさらに含むことを特徴とする請求項９または１０に記載のオープンベース患者昇降機。
【請求項１２】
前記第１の脚の前記外端部に搭載された第１の前輪および前記第２の脚の前記外端部に搭載された第２の前輪をさらに含むことを特徴とする請求項１乃至１１のいずれかに記載のオープンベース患者昇降機。
【請求項１３】
前記第１の前輪および前記第２の前輪は、前記ベースが前記床に沿って前方または後方に押されるとき、および、前記第１の脚および前記第２の脚の前記外端部が互い対して近づくようにまたは離れるように移動させられるときに、前記床に係合して前記床に沿って転がるように構成されていることを特徴とする請求項１２に記載のオープンベース患者昇降機。
【請求項１４】
前記第１の前輪および前記第２の前輪がキャスターであることを特徴とする請求項１２または１３に記載のオープンベース患者昇降機。
【請求項１５】
前記第１のマストおよび前記第２のマストが、各々、前記フレームの前記下端部に反対側にある上端部を前記フレームの前記上部に含み、これらの上端部が互いに接合されていることを特徴とする請求項１乃至１４のいずれかに記載のオープンベース患者昇降機。
【請求項１６】
前記間隙が、前記床から、前記第１のマストの前記下端部および前記第２のマストの前記下端部の上方の位置まで、上方に延びることを特徴とする請求項１乃至１５のいずれかに記載のオープンベース患者昇降機。
【請求項１７】
前記患者支持部が、前記フレームに結合された第１の端部、及び反対側にある第２の端部を含むブームを備え、前記第２の端部は、前記フレームの前方に位置し患者のスリングを支持するように構成され、且つ前記フレームに対して上方および下方に移動可能であることを特徴とする請求項１乃至１６のいずれかに記載のオープンベース患者昇降機。
【請求項１８】
成るオープンベースの患者昇降機：
１）は、一般的に上方に延びる第一マスト、一般的に上方に延びる第二のマストを構成するフレームの下部に下端部を有する下部と対向上部、最初のマストと第マストそれぞれを構成するフレームフレーム、空間を画定する最初のマストの下端部から離間第二マストの下端部；
ｂ）の患者のフレームの上部から前方に延在する支持、および
ｃ）のベースフレームの下部に結合され、床には、フレームをサポートして、ベース（ｉ）は、内側の端部を含む第一の足が回動自在下端に最初のマストから、一般的に前方に延びる第一脚に結合一般的に垂直な第一軸、フレームの前方に配置さとは対照的外端部についての最初のマストの一部を、（ｉｉ）第マストから、一般的に前方に延びる第脚は、内側の端部を含む第二の脚が回動自在に下に結合された一般的に垂直な第二軸、フレームの前方に配置さとは対照的外端部秒程度マストの端部と、第１脚とそれぞれ、第１および第２軸についてそれぞれ回動番目の脚は、外側の端部を移動する第一および第二の脚に向かって離れて互いに、及び（ｉｉｉ）係合するための第一マストの下端部と第２のマストの後方に延びる第二支持体後方に床を係合するための後方に第一マストの延びる第サポート第二マストの下端部の後方に床。
【請求項１９】
さらにそれぞれ第１及び第２の脚の動きを制御するための第一作動アセンブリと第二作動アセンブリを含む、請求項１８のオープンベースの患者昇降機、モータを構成する各作動アセンブリは、駆動するのいずれかの内側の端部に接続されている最初のレグと第２脚。
【請求項２０】
各作動アセンブリはさらに腕を含む、請求項１９のマシンを昇降オープンベースの患者は、最初の脚と第２脚のいずれかの内側の端部および後方に延在するマウントされており、各作動アセンブリは、それぞれの１を回転させるように構成されている第一軸と第二軸のそれぞれ約前後の腕。
【請求項２１】
さらに、各作動アセンブリを請求項２０のオープンベースの患者昇降機は、構成されています。
１）腕は、最初の脚と第２脚のいずれかの内側の端部に取り付けられ、後方に延在する
ｂ）のウォームネジは、長手軸の周りにウォームネジを回転アームに横方向に、一般的に拡張し、モータによって駆動される。
ｃ）のブラケットは、ウォームネジの回転に応答の長さに沿って、そのウォームネジと可動に取り付けられた。
ｄ）とアームにブラケットを接続するコネクタです。
【請求項２２】
第一作動アセンブリを含み、２１のクレーム１９のいずれかのマシンを昇降るオープンベースの患者は、最初マストの後方に配置され、第二作動アセンブリは、第マストの後方に配置されている。
【請求項２３】
第一作動アセンブリを含み、２２から１９の特許請求の範囲のいずれかのオープンベースの患者昇降機は、最初のサポートにマウントされ、第二作動アセンブリは、第２の支持にマウントされています。
【請求項２４】
各々が構成する第一支持及び第２の支持を含み２３?クレーム１９のいずれかのオープンベースの患者昇降機：
ａ）最初のマストの１の下端部と第２のマストは、最初のマストと第マストのいずれかの第一の端部が隣接して有する低級支柱と、反対側にある第２の端部から後方に延びる下部支柱。
ｂ）最初のマストの一つと下部支柱の第１の端部、第１の端が最初にマストの一隣接と第マスト有する上部ストラット上の位置第二のマストから下方と後方に延びる上部のストラットと反対側にある第２の端部は、下部支柱の他端に参加しました。
【請求項２５】
第一のサポートと各さらに第二の支持を請求項２４のオープンベースの患者リフティングマシンは後輪を係合させる地面が低い支柱の他端に取り付けられて構成されています。
【請求項２６】
さらに第１の筐体筐体を最初に作動アセンブリ、最初のサポートの下限と上限のストラットと第２のケーシングハウジングを備えた２５から１９の請求項のいずれかのオープンベースの患者昇降機、第二作動アセンブリとの下限と上限ストラット第二サポートしています。
【請求項２７】
特許請求の範囲の任意のマシンを昇降るオープンベースの患者は、さらに最初にフロントホイールを備えた１８から２６は、最初の脚の外側の端部に取り付けられ、第二のフロントホイールは第２の脚部の外側端部に取り付けられている。
【請求項２８】
従事する第１および第２脚の外側の端部がある場合にベースが床に沿って前方または後方にプッシュされ、床に沿って展開する第一および第二の前輪が設定されている請求項２７のオープンベースの患者昇降機お互いに向かって離れてから移動しました。
【請求項２９】
第一および第二の前輪を含み２８?２７の特許請求の範囲のいずれかのオープンベースの患者昇降機は、キャスターがあります。
【請求項３０】
特許請求の範囲のいずれかのオープンベースの患者昇降マシンは１８から２９、前記第マストと第マストはそれぞれ、前記フレームの上部の上端部を含み、その下端部とは対照的に上端部が結合され一緒に。
【請求項３１】
クレームスペースは、最初マストの下端部に上記の位置と第２マストの下端部に上向きに床から延びて１８から２９に記載のいずれかのオープンベースの患者昇降機。
【請求項３２】
特許請求の範囲のいずれかのオープンベースの患者昇降機患者のサポートは、フレームに結合された第１の端部を有するブーム、フレームの前方に配置され、患者のスリングをサポートするように構成され反対側にある第２の端部を含むことを特徴とする１８から３１、フレームに対して上下に可動第２の端部。
【請求項３３】
成るオープンベースの患者昇降機：
１）は、一般的に上方に延びる第一マスト、一般的に上方に延びる第二のマストを構成するフレームの下部に下端部を有する下部と対向上部、最初のマストと第マストそれぞれを構成するフレームフレーム、空間を画定する最初のマストの下端部から離間第二マストの下端部；
ｂ）の患者のフレームの上部から前方に延在する支持、および
ｃ）のベースフレームの下部に結合され、床には、フレームをサポートして、ベース（ｉ）は、内側の端部を含む第一の足が回動自在に下に最初のマストから、一般的に前方に延びる第一脚に結合一般的に垂直な第一軸、第一マストの前方に配置さとは対照的外端部についての最初のマストの先端部、（ｉｉ）第マストから、一般的に前方に伸びる第２の脚部は、内側端部を含む第二の脚が回動自在に結合された一般的に垂直な第二の軸秒程度マストの下端部、第二マストの前方に配置さとは対照的外端部と、最初のレグと外側の端を移動するにはそれぞれ第１及び第２の軸についての第２戦各揺動、お互いに向かって離れてからの第１および第２脚の部分、および（ｉｉ）最初の前輪は、最初に脚の外側の端部に取り付けられ、第二のフロントホイールは第２の脚部の外側端部に取り付けられ第一および第二フロントホイールが魅力的な第１および第２脚の外側端部が互いに向かって離れてから移動されたときにベースが床に沿って前方または後方にプッシュされ、床に沿ってローリング。
【請求項３４】
さらにそれぞれ第１及び第２の脚の動きを制御するための第一作動アセンブリと第二作動アセンブリを含む、請求項３３のオープンベースの患者昇降機、モータを構成する各作動アセンブリは、駆動するのいずれかの内側の端部に接続されている最初のレグと第２脚。
【請求項３５】
各作動アセンブリはさらに腕を含む、請求項３４に記載の機械を昇降るオープンベースの患者は、最初の脚と第２脚のいずれかの内側の端部および後方に延在するマウントされており、各作動アセンブリは、それぞれの１を回転させるように構成されている第一軸と第二軸のそれぞれ約前後の腕。
【請求項３６】
さらに、各作動アセンブリを請求項３５のオープンベースの患者昇降機は、構成されています。
１）腕は、最初の脚と第２脚のいずれかの内側の端部に取り付けられ、後方に延在する
ｂ）のウォームネジは、長手軸の周りにウォームネジを回転アームに横方向に、一般的に拡張し、モータによって駆動される。
ｃ）のブラケットは、ウォームネジの回転に応答の長さに沿って、そのウォームネジと可動に取り付けられた。
ｄ）とアームにブラケットを接続するコネクタです。
【請求項３７】
第一作動アセンブリを特徴とする請求項３４から３６のいずれかのオープンベースの患者昇降機は、最初マストの後方に配置され、第二作動アセンブリは、第マストの後方に配置されている。
【請求項３８】
特許請求の範囲３３から３７のいずれかのオープンベースの患者昇降機は、さらに最初のマストの下端部と第２のマストの後方に延びる第二支持体後方に床を係合させるための最初のマストの後方に延びる第支持体を含む第二マストの下端部の後方に床を係合させる。
【請求項３９】
第一作動アセンブリを請求項３８のオープンベースの患者昇降機は、最初のサポートにマウントされ、第二作動アセンブリは、第２の支持にマウントされています。
【請求項４０】
各々が構成する第一支持及び第２の支持を特徴とする請求項３８および３９のいずれかのオープンベースの患者昇降機：
ａ）最初のマストの１の下端部と第２のマストは、最初のマストと第マストのいずれかの第一の端部が隣接して有する低級支柱と、反対側にある第２の端部から後方に延びる下部支柱。
ｂ）最初のマストの一つで、その下端部に上記の位置に第二のマスト、第１の端が最初にマストと第マストのいずれかの隣接して反対した上部支柱から下方と後方に延びる上部のストラット第二の端部は、下部支柱の他端に参加しました。
【請求項４１】
第一のサポートと各さらに第二の支持を請求項４０のオープンベースの患者リフティングマシンは後輪を係合させる地面が低い支柱の他端に取り付けられて構成されています。
【請求項４２】
さらに第１の筐体筐体を最初に作動アセンブリ、最初のサポートと第２の筐体筐体の下部および上部支柱を備えた４０から４１、請求項のいずれかのオープンベースの患者昇降機第二作動アセンブリとの下限と上限ストラット第二サポートしています。
【請求項４３】
第一および第二の前輪を含み３３から４２の請求項のいずれかのオープンベースの患者昇降機は、キャスターがあります。
【請求項４４】
第一および第二の前輪を含み３３から４３の請求項のいずれかのオープンベースの患者昇降機は、第１および第２のマストの前方に配置構造を魅力的な唯一のグランドです。
【請求項４５】
特許請求の範囲のいずれかのオープンベースの患者昇降マシンは３３から４４、前記第マストと第マストはそれぞれ上端部を含み、フレーム上部の上端部を含み、その下端部とは対照的に結合され一緒に。
【請求項４６】
スペースを含み、３３から４５、請求項のいずれかのオープンベースの患者昇降機は、最初のマストの下端部と第２のマストの下端部に上記の位置に上向きに床から延びている。
【請求項４７】
特許請求の範囲のいずれかのオープンベースの患者昇降機患者のサポートは、フレームに結合された第１の端部を有するブーム、フレームの前方に配置され、患者のスリングをサポートするように構成され反対側にある第２の端部を含むことを特徴とする３３から４６、フレームに対して上下に可動第２の端部。
【請求項４８】
を含むマシンを昇降るオープンベースの患者：
１）は、一般的に上方に延びる第一マスト、一般的に上方に延びる第二マスト、それぞれの下部の下端部を有する下部と対向上部、最初のマストと第マストを備えたフレームを含むフレームフレーム、空間を画定する最初のマストの下端部から離間第二マストの下端部；
ｂ）の患者のフレームの上部から前方に延在する支持、および
ｃ）のベースは、フレームの下部に結合され、床の上のフレームは、最初のマストから、一般的に前方に延長し、回動自在にについての最初のマストの下端部に結合された内側の端部を含む第一の足を有するベースをサポート一般的に垂直な第一軸、第一マストの前方に配置さとは対照的外端部と、第二マスト、回動自在秒程度マストの下端部に結合された内側の端部を含む第二の脚から、一般的に前方に延びる第２戦に向かって第一および第二の脚の外側の端部を移動するための最初のレグと第２戦第一および第二の軸については、各揺動は、それぞれ、一般的に垂直な第二軸、第二マストの前方に配置さとは対照的外側の端部と、そして離れてお互いから
ｄ）最初の作動アセンブリとそれぞれ、第１および第２脚の動きを制御するための第二作動アセンブリを、アームを構成する各作動アセンブリは、最初のレグのいずれかの内側端部と第２の脚に取り付けられ、そこから後方に伸びる、アーム、駆動??する長手軸の周りにウォームネジを回転させるためにウォームネジに接続されたモータは一般に横方向に伸びるウォームネジは、ブラケットは、ワームの回転に応じて、その長さに沿って、ウォームネジと可動に取り付けられてネジ、アームにブラケットを接続するコネクタです。
【請求項４９】
第一作動アセンブリを請求項４８のオープンベースの患者昇降機は、最初マストの後方に配置され、第二作動アセンブリは、第マストの後方に配置されている。
【請求項５０】
さらに最初のマストの下端部と第２のマストの後方に延びる第二支持体後方に床を係合させるための最初のマストの後方に延びる第支持体を含む４９から４８の請求項のいずれかのオープンベースの患者昇降機、第二マストの下端部の後方に床を係合させる。
【請求項５１】
第一作動アセンブリを請求項５０のオープンベースの患者昇降機は、最初のサポートにマウントされ、第二作動アセンブリは、第２の支持にマウントされています。
【請求項５２】
各々が構成する第一支持及び第２の支持を特徴とする請求項５０および５１のいずれかのオープンベースの患者昇降機：
ａ）最初のマストの１の下端部と第２のマストは、最初のマストと第マストのいずれかの第一の端部が隣接して有する低級支柱と、反対側にある第２の端部から後方に延びる下部支柱。
ｂ）と第一マストの１と低い支柱、最初のマストマスト第二の一第一の端部が隣接した上部支柱の第１の端部上に位置第二のマストから下方と後方に延びる上部のストラット反対側にある第２の端部は、下部支柱の他端に参加しました。
【請求項５３】
第一のサポートと各さらに第二の支持を請求項５２のオープンベースの患者リフティングマシンは後輪を係合させる地面が低い支柱の他端に取り付けられて構成されています。
【請求項５４】
さらに第１の筐体筐体を最初に作動アセンブリ、最初のサポートと第２の筐体ハウジング第二作動アセンブリとの下限と上限の支柱の下部および上部支柱を備えた５３の特許請求の範囲５２のいずれかのオープンベースの患者昇降機、第二サポートしています。
【請求項５５】
さらに、最初にフロントホイールを備え、４８  ５３にクレームのいずれかのマシンを昇降るオープンベースの患者は、最初に脚の外側の端部に取り付けられ、第二のフロントホイールは第２の脚部の外側端部に取り付けられている。
【請求項５６】
従事する第１および第２脚の外側の端部がある場合にベースが床に沿って前方または後方にプッシュされ、床に沿って展開する第一および第二の前輪が設定されている請求項５５のオープンベースの患者昇降機お互いに向かって離れてから移動しました。
【請求項５７】
第一および第二の前輪を含み５５から５６の請求項のいずれかのオープンベースの患者昇降機は、キャスターがあります。
【請求項５８】
特許請求の範囲のいずれかのオープンベースの患者昇降機５０から５７、前記第マストと第マストはそれぞれ上端部が結合され、前記フレームの上部の上端部を含み、その下端部に反対一緒に。
【請求項５９】
スペースを含み、５８のクレーム５０のいずれかのオープンベースの患者昇降機は、最初マストの下端部と第２のマストの下端部に上記の位置に上向きに床から延びている。
【請求項６０】
特許請求の範囲のいずれかのオープンベースの患者昇降機患者のサポートは、フレームに結合された第１の端部を有するブーム、フレームの前方に配置され、患者のスリングをサポートするように構成され反対側にある第２の端部を含むことを特徴とする４８から５９、フレームに対して上下に可動第２の端部。
【請求項６１】
成るオープンベースの患者昇降機：
１）は、一般的に上方に延びる第一マスト、一般的に上方に延びる第二のマストを構成するフレームの下部に下端部を有する下部と対向上部、最初のマストと第マストそれぞれを構成するフレームフレーム、空間を画定する最初のマストの下端部から離間第二マストの下端部；
ｂ）のフレームの上部から前方に伸びるブームは、ブームには、フレームに結合された第１の端部を有する、と反対側にある第２の端部がフレームの前方に配置され、患者のスリングをサポートするように設定。
ｃ）の下端部を有するリフティングアセンブリは、フレームに取り付けられ、上端部がリフトアセンブリは、まずマストと第マストの間に集中的に整列し、ブームに取り付けられた、長さの伸縮昇降アセンブリは、上方に第２の端部を移動すると下方のフレームに関して。
ｄ）のベースフレームの下部に結合され、床には、フレームをサポートして、ベース（ｉ）は、内側の端部を含む第一の足が回動自在に下に最初のマストから、一般的に前方に延びる第一脚に結合第二マスト、回動自在に結合された内側の端部を含む第二の脚から、一般的に前方に伸びる（ii）第２戦、一般的に垂直な第一軸、第一マストの前方に配置さとは対照的外端部についての最初のマストの端部最初のレグと外側の端を移動するための第一および第二の軸について回動可能な第２戦は、それぞれ、一般的に垂直な第二の軸秒程度マストの下端部、第二マストの前方に配置さとは対照的外側の端部にに向かって離れてお互いからの第１および第２脚の部分。
【請求項６２】
クレーム６１のオープンベースの患者昇降機フレームはさらに、第マストと最初のマストと第マストの下端部上記の２番目のマストの間に延びるクロスバーを備えており、リフトアセンブリの下端部分があることを特徴とするクロスバーに取り付けられている。
【請求項６３】
リフティングアセンブリの上端部を特徴とする請求項６１及び６２のいずれかのオープンベースの患者昇降機は、ブームの第１の端部に取り付けられている。
【請求項６４】
ブームを含み、６３?特許請求の範囲の任意の６１のオープンベースの患者昇降機は、フレームに対して回動自在に移動可能である。
【請求項６５】
最初の軸を含み、６４からクレーム６１のいずれかのオープンベースの患者昇降機は、最初マストの下端部を通って延び、第二軸は第二マストの下端部を通って延びている。
【請求項６６】
さらに、第ピボットピンを備え、６５の特許請求の範囲の任意の６１のマシンを昇降るオープンベースの患者は、最初のマストの下端部に装着され、最初のマストの下端部の下に位置し、第二のピボットピンはマウントされている下端二番目マストの部分と第１脚の内側の端部を有し、第マストの下端部の下に位置は、最初のピボットピン上で受信したと回動自在その辺にあり、第２脚の内側の端部は、されてい第二ピボットピン上で受信したと回動その頃です。
【請求項６７】
さらに、それぞれ、第１および第２脚の動きを制御するための第一作動アセンブリと第二作動アセンブリを備えた６６?クレーム６１のいずれかのオープンベースの患者昇降機、モータを構成する各作動アセンブリは、駆動する内側端に接続されている最初のレグと第２脚のいずれかの部分。
【請求項６８】
各作動アセンブリはさらに腕を含む、請求項６６のマシンを昇降オープンベースの患者は、内側端は最初の脚と第２脚のいずれかの部分と後方に延在に装着され、各作動アセンブリは、それぞれの１を回転させるように構成されている第一軸と第二軸のそれぞれ約前後の腕。
【請求項６９】
さらに、各作動アセンブリを請求項６８のオープンベースの患者昇降機は、構成されています。
１）ウォームネジは、アームを横方向に、一般的に拡張し、長手軸の周りにウォームネジを回転させるモータで駆動。
ｂ）のブラケットは、ウォームネジの回転に応答の長さに沿って、そのウォームネジと可動に取り付けられた。
ｃ）とアームにブラケットを接続するコネクタです。
【請求項７０】
第一作動アセンブリを含み、６７から６９の請求項のいずれかのオープンベースの患者昇降機は、最初マストの後方に配置され、第二作動アセンブリは、第マストの後方に配置されている。
【請求項７１】
特許請求の範囲６１から７０のいずれかのオープンベースの患者昇降機は、さらに最初のマストの下端部と第２のマストの後方に延びる第二支持体後方に床を係合させるための最初のマストの後方に延びる第支持体を含む第二マストの下端部の後方に床を係合させる。
【請求項７２】
第一作動アセンブリを請求項７１のオープンベースの患者昇降機は、最初のサポートにマウントされ、第二作動アセンブリは、第２の支持にマウントされています。
【請求項７３】
各々が構成する第一支持及び第２の支持を特徴とする請求項７１及び７２のいずれかのオープンベースの患者昇降機：
ａ）最初のマストの１の下端部と第２のマストは、最初のマストと第マストのいずれかの第１の端部が隣接して有する低級支柱と、反対側にある第２の端部から後方に延びる下部支柱。
ｂ）最初のマストの一つと下部支柱の第１の端部、第１の端部は、最初マストのいずれかの隣接して第二有する上部支柱上の位置第二のマストから下方と後方に延びる上部のストラットマスト反対側にある第２の端部は、下部支柱の第二の端部に参加しました。
【請求項７４】
第一のサポートと各さらに第二の支持を請求項７３のオープンベースの患者リフティングマシンは後輪を係合させる地面が低くストラットとアッパーストラットのいずれかの第２の端部に取り付けられて構成されています。
【請求項７５】
さらに第１の筐体筐体を最初に作動アセンブリ、最初のサポートの下限と上限のストラットと第２のケーシングハウジングを有するクレーム７３および７４のいずれかのオープンベースの患者昇降機、第二作動アセンブリとの下限と上限ストラット第二サポートしています。
【請求項７６】
さらに、最初にフロントホイールを備えた、７５の特許請求の範囲の任意の６１のマシンを昇降るオープンベースの患者は、最初に脚の外側の端部に取り付けられ、第二のフロントホイールは第２の脚部の外側端部に取り付けられている。
【請求項７７】
従事する第１および第２脚の外側の端部がある場合にベースが床に沿って前方または後方にプッシュされ、床に沿って展開する第一および第二の前輪が設定されている請求項７６のオープンベースの患者昇降機お互いに向かって離れてから移動しました。
【請求項７８】
第一および第二の前輪を特徴とする請求項７６および７７のいずれかのオープンベースの患者昇降機は、キャスターがあります。
【請求項７９】
第一マストと第マストはそれぞれ、前記フレームの上部に上端を構成し、その下端部とは対照的に請求項７８にクレーム６１のいずれかのマシンを昇降るオープンベースの患者は、上側端部が結合されます。
【請求項８０】
スペースを含み、７９?クレーム６１のいずれかのオープンベースの患者昇降機は、最初マストの下端部と第２のマストの下端部に上記の位置に上向きに床から延びている。
【発明の詳細な説明】
【技術分野】
【０００１】
本開示は、患者昇降機に関する。具体的には、本開示は、患者を一所から他所に移送するのに使用することが可能な患者昇降機に関する。
【背景技術】
【０００２】
以下は、下記に説明する何れも先行技術またはこの技術における当業者の常識の一部であると認めるものではない。
【０００３】
米国特許第６，０９２，２４７号（Ｗｉｌｓｏｎ）は、昇降移送装置を開示している。この昇降移送装置は、直立フレームを備えた車輪付きシャーシを含んでいる。車輪付きシャーシは、その下端において、側方に間隙を有し後方に向けて片持ち梁式の一対の支持脚に接続されており、支持脚は、その後部自由端に隣接して床に係合する駆動ローラを備えている。昇降アーム配置が、その上端に隣接するフレームに回動可能に支持されており、また、アーム配置の垂直方向の揺動を制御する駆動装置に接続されている。アーム配置は、好ましくは、４本連結部によって規定され、この連結部はその外方自由端に患者担持部を搭載する。患者担持部は、昇降アーム配置によって、制御された安定した態様で垂直方向に移動させられて、その位置が安定して規定され、また、患者担持部には、患者を動かすつまり移送するための装置の使用の間に患者を安定して支持するために、患者に係合するスリング配置が脱離可能に取り付けられるようになっている。支持脚は内位置と外位置との間で揺動可能であり、支持脚の内位置は、より狭くよりコンパクトな配置をもたらして、昇降装置が標準的なドアを通り抜けるのを可能にし、一方、外位置は、広がった大きな空間をもたらして、患者の移送が望まれるときに、支持脚と支持脚との間に車椅子または他の物体を置くのを容易にする。
【発明の概要】
【０００４】
以下の概要は、後述のより詳細な説明に読者を案内するために提供されている。この概要は、クレームを限定あるいは規定することを意図したものではない。
【０００５】
一側面によれば、オープンベース患者昇降機が提供される。オープンベース患者昇降機は、概して上方に延びる第１のマストおよび概して上方に延びる第２のマストを含むフレームを含む。フレームは下部および反対側にある上部を含む。第１のマストおよび第２のマストは各々、フレームの下部に下端部を含む。第２のマストの下端部は、第１のマストの下端部から離間して両者間に間隙を規定する。患者昇降機はさらに、フレームの上部から前方に延びる患者支持部を含む。ベースが、フレームの下部に結合されて、床上でフレームを支持する。ベースは、第１のマストから概して前方に延びる第１の脚を含む。第１の脚は、概して垂直な第１の軸の周りに回動可能に、第１のマストの下端部に結合された内端部を含む。第１の軸は第１のマストの下端部を通って延びる。第１の脚の反対側にある外端部が、第１のマストの前方に位置する。第２の脚が、第２のマストから概して前方に延びる。第２の脚は、概して垂直な第２の軸の周りに回動可能に、第２のマストの下端部に結合された内端部を含む。第２の軸は、第２のマストの下端部を通って延びる。第２の脚の反対側にある外端部が、第２のマストの前方に位置する。第１の脚および第２の脚は、それぞれ第１の軸および第２の軸の周りに回動可能で、第１の脚および第２の脚の外端部を互いに対して近づくようにおよび離れるように移動させる。
【０００６】
他の側面によれば、他のオープンベース患者昇降機が提供される。このオープンベース昇降機は、概して上方に延びる第１のマストおよび概して上方に延びる第２のマストを含むフレームを含む。フレームは、下部および反対側にある上部を含む。第１のマストおよび第２のマストは各々、フレームの下部に下端部を有し、第２のマストの下端部は、第１のマストの下端部から離間して両者間に間隙を規定する。患者支持部が、フレームの上部から前方に延びる。ベースが、フレームの下部に結合されて、床上でフレームを支持する。ベースは、第１のマストから概して前方に延びる第１の脚を含む。第１の脚は、概して垂直な第１の軸の周りに回動可能に、第１のマストの下端部に結合された内端部、および反対側にある外端部であってフレームの前方に位置する外端部を含む。第２の脚が、第２のマストから概して前方に延びる。第２の脚は、概して垂直な第２の軸の周りに回動可能に、第２のマストの下端部に結合された内端部、および反対側にある外端部であってフレームの前方に位置する外端部を含む。第１の脚および第２の脚は、それぞれ第１の軸および第２の軸の周りに回動可能で、第１の脚および第２の脚の外端部を互いに対して近づくようにおよび離れるように移動させる。第１の支持部が第１のマストから後方に延びて第１のマストの下端部の後方の床と係合し、第２の支持部が第２のマストから後方に延びて第２のマストの下端部の後方の床と係合する。
【０００７】
他の側面によれば、他のオープンベース患者昇降機が提供される。このオープンベース昇降機は、概して上方に延びる第１のマストおよび概して上方に延びる第２のマストを含むフレームを含む。フレームは、下部および反対側にある上部を含む。第１のマストおよび第２のマストは各々、フレームの下部に下端部を含み、第２のマストの下端部は、第１のマストの下端部から離間して両者間に間隙を規定する。患者支持部が、フレームの上部から前方に延びる。ベースが、フレームの下部に結合されて、床上でフレームを支持する。ベースは、第１のマストから概して前方に延びる第１の脚を含む。第１の脚は、概して垂直な第１の軸の周りに回動可能に、第１のマストの下端部に結合された内端部、および反対側にある外端部であって第１のマストの前方に位置する外端部を含む。第２の脚が、第２のマストから概して前方に延びる。第２の脚は、概して垂直な第２の軸の周りに回動可能に、第２のマストの下端部に結合された内端部、および反対側にある外端部であって第２のマストの前方に位置する外端部を含む。第１の脚および第２の脚は、それぞれ第１の軸および第２の軸の周りに回動可能で、第１の脚および第２の脚の外端部を互いに対して近づくようにおよび離れるように移動させる。第１の前輪が第１の脚の外端部に搭載され、第２の前輪が第２の脚の外端部に搭載される。第１の前輪および第２の前輪は、ベースが床に沿って前方または後方に押されるとき、ならびに、第１の脚および第２の脚の外端部が互いに対して近づくようにおよび離れるように移動させられるときに、床に係合して床に沿って転がる。
【０００８】
他の側面によれば、他のオープンベース患者昇降機が提供される。このオープンベース患者昇降機は、概して上方に延びる第１のマストおよび概して上方に延びる第２のマストを含むフレームを含む。フレームは、下部および反対側にある上部を含む。第１のマストおよび第２のマストは各々、フレームの下部に下端部を有し、第２のマストの下端部は、第１のマストの下端部から離間して両者間に間隙を規定する。患者支持部が、フレームの上部から前方に延びる。ベースが、フレームの下部に結合されて、床上でフレームを支持する。ベースは、第１のマストから概して前方に延びる第１の脚であって、概して垂直な第１の軸の周りに回動可能に、第１のマストの下端部に結合された内端部、および、反対側にある外端部であって第１のマストの前方に位置する外端部を含む、第１の脚を含む。第２の脚が、第２のマストから概して前方に延びる。第２の脚は、概して垂直な第２の軸の周りに回動可能に、第２のマストの下端部に結合された内端部、および反対側にある外端部であって第２のマストの前方に位置する外端部を含む。第１の脚および第２の脚は、それぞれ第１の軸および第２の軸の周りに回動可能で、第１の脚および第２の脚の外端部を互いに対して近づくようにおよび離れるように移動させる。このオープンベース患者昇降機は、さらに、第１の脚および第２の脚の動きをそれぞれ制御する第１の駆動アセンブリおよび第２の駆動アセンブリを含む。各駆動アセンブリは、第１の脚および第２の脚の一方の内端部に結合されて、そこから後方に延びるアーム、アームに対して概して横切るように延びるウォームスクリュー、ウォームスクリューに駆動可能に結合されてウォームスクリューをその長手軸の周りに回転させるモータ、ウォームスクリューに搭載され、ウォームスクリューの回転に応じてその長さ方向に移動可能なブラケット、および、ブラケットをアームに接続するコネクタ、をさらに含む。
【０００９】
他の側面によれば、オープンベース患者昇降機が提供される。このオープンベース患者昇降機は、概して上方に延びる第１のマストおよび概して上方に延びる第２のマストを含むフレームを含む。フレームは、下部および反対側にある上部を含む。第１のマストおよび第２のマストは各々、フレームの下部に下端部を有し、第２のマストの下端部は、第１のマストの下端部から離間して両者間に間隙を規定する。ブームがフレームの上部から前方に延びる。ブームは、フレーム結合された第１の端部、および、反対側にある第２の端部であって、フレームの前方に位置し患者スリングを支持するように構成された第２の端部を含む。このオープンベース患者昇降機は、さらに、フレームに搭載された下端部およびブームに搭載された上端部を有する昇降アセンブリを含む。昇降アセンブリは、第１のマストと第２のマストとの間の中央に配置され、長さが伸張可能で、第２の端部をフレームに対して上方および下方に移動させる。オープンベース患者昇降機は、さらに、フレームの下部に結合されて、床上でフレームを支持するベースを含む。ベースは、第１のマストから概して前方に延びる第１の脚を含む。第１の脚は、概して垂直な第１の軸の周りに回動可能に、第１のマストの下端部に結合された内端部、および反対側にある外端部であって第１のマストの前方に位置する外端部を含む。第２の脚が、第２のマストから概して前方に延びる。第２の脚は、概して垂直な第２の軸の周りに回動可能に、第２のマストの下端部に結合された内端部、および反対側にある外端部であって第２のマストの前方に位置する外端部を含む。第１の脚および第２の脚は、それぞれ第１の軸および第２の軸の周りに回動可能で、第１の脚および第２の脚の外端部を互いに対して近づくようにおよび離れるように移動させる。
【００１０】
上述のいずれの側面においても、オープンベース患者昇降機は、第１のマストの下端部に搭載され、第１のマストの下端部の下方に位置する第１の回動ピン、および、第２のマストの下端部に搭載され、第２のマストの下端部の下方に位置する第２の回動ピンを含んでよい。第１の脚の内端部は、第１の回動ピンに受けられてその周りに回動可能であり、第２の脚の内端部は、第２の回動ピンに受けられてその周りに回動可能であってよい。
【００１１】
上述のいずれの側面においても、オープンベース患者昇降機は、それぞれ第１の脚および第２の脚の動きを制御する第１の駆動アセンブリおよび第２の駆動アセンブリをさらに含んでよい。各駆動アセンブリは、第１の脚および第２の脚の一方の内端部に駆動可能に結合されたモータを含んでよい。
【００１２】
上述のいずれの側面においても、各駆動アセンブリは、第１の脚および第２の脚の一方の内端部に搭載され、そこから後方に延びるアームをさらに含んでよい。各駆動アセンブリは、一方のアームを、対応する第１の軸および第２の軸の一方の周りに、前後に回転させるように構成されてよい。
【００１３】
上述のいずれの側面においても、各駆動アセンブリは、アームに対して概して横切るように延び、モータによって駆動されてその長手軸の周りに回転させられるウォームスクリューを、さらに含んでよい。ブラケットが、ウォームスクリューに搭載され、ウォームスクリューの回転に応じてその長さ方向に移動可能とされてよい。コネクタが、ブラケットをアームに接続してよい。
【００１４】
上述のいずれの側面においても、第１の駆動アセンブリは第１のマストの後方に位置してよく、第２の駆動アセンブリは第２のマストの後方に位置してよい。
【００１５】
上述のいずれの側面においても、オープンベース患者昇降機は、第１のマストの後方に延びて、第１のマストの下端部の後方の床に係合する第１の支持部、および、第２のマストの後方に延びて、第２のマストの下端部の後方の床に係合する第２の支持部を、さらに含んでよい。第１の駆動アセンブリは第１の支持部に搭載されてよく、第２の駆動アセンブリは第２の支持部に搭載されてよい。
【００１６】
上述のいずれの側面においても、第１の支持部および第２の支持部は、各々、第１のマストおよび第２のマストの一方の下端部から後方に延びる下部支柱を含んでよい。下部支柱は、第１のマストおよび第２のマストの一方に隣接する第１の端部、および反対側にある第２の端部を有してよい。第１の支持部および第２の支持部は、各々、下部支柱の第１の端部の上方の位置において、第１のマストおよび第２のマストの一方から下方かつ後方に延びる上部支柱を、さらに含んでよい。上部支柱は、第１のマストおよび第２のマストの一方に隣接する第１の端部、および反対側にある第２の端部であって下部支柱の第２の端部に接合された第２の端部を有してよい。第１の支持部および第２の支持部は、各々、下部支柱および上部支柱の一方の第２の端部に搭載された地面係合後輪を、さらに含んでよい。
【００１７】
上述のいずれの側面においても、オープンベース患者昇降機は、第１の駆動アセンブリならびに第１の支持部の下部支柱および上部支柱を収容する第１の筺体、ならびに第２の駆動アセンブリならびに第２の支持部の下部支柱および上部支柱を収容する第２の筺体を、さらに含んでよい。
【００１８】
上述のいずれの側面においても、第１の前輪は第１の脚の外端部に搭載されてよく、第２の前輪は第２の脚の外端部に搭載されてよい。第１の前輪および第２の前輪は、ベースが床に沿って前方または後方に押されるとき、および、第１の脚および第２の脚の外端部が互い対して近づくようにまたは離れるように移動させられるときに、床に係合して床に沿って転がるように、構成されてよい。第１の前輪および第２の前輪はキャスターでよい。第１の前輪および第２の前輪は、第１のマストおよび第２のマストの前方に位置する唯一の地面係合構造であってよい。
【００１９】
上述のいずれの側面においても、第１のマストおよび第２のマストは各々、フレームの上部に位置し、その下端部に反対側にある上端部を含んでよい。２つの上端部は互いに接合されてよい。
【００２０】
上述のいずれの側面においても、第１のマストおよび第２のマストの下端部の間の間隙は、床から、第１のマストの下端部および第２のマストの下端部の上方の位置まで、上方に延びてよい。
【００２１】
上述のいずれの側面においても、患者支持部は、フレームに結合された第１の端部、および、反対側にある第２の端部であって、フレームの前方に位置し、患者スリングを支持するように構成された第２の端部を含む、ブームを含んでよい。第２の端部は、フレームに対して上方および下方に移動可能でよい。
【００２２】
上述のいずれの側面においても、フレームは、第１のマストおよび第２のマストの下端部の上方で第１のマストと第２のマストとの間に延びるクロスバーをさらに含んでよく、昇降アセンブリの下端部はクロスバーに搭載されてよい。昇降アセンブリの上端部はブームの第１の端部に搭載されてよい。ブームはフレームに対して回動可能であってよい。
【００２３】
上述のいずれの側面においても、第１の軸は第１のマストの下端部を通って延びてよく、第２の軸は第２のマストの下端部を通って延びてよい。
【図面の簡単な説明】
【００２４】
詳細な説明においては、添付の図面を参照する。
【００２５】
【図１】患者昇降機の斜視図。
【００２６】
【図２】図１の患者昇降機の正面図。
【００２７】
【図３】図１の患者昇降機の上面図であって、概して真っ直ぐな配置の１の脚および第２の脚を示す図。
【００２８】
【図４】図１の患者昇降機の上面図であって、概して開いた配置の第１の脚および第２の脚を示す図。
【００２９】
【図５】図１の患者昇降機の脚、マストおよび支持部の分解斜視部分図であって、支持部のカバーを省略した図。
【００３０】
【図６】図１の患者昇降機の脚、マスト、支持部および駆動アセンブリの分解斜視部分図であって、支持部のカバーを省略した図。
【００３１】
【図７】図６の支持部および駆動アセンブリの分解斜視図であって、支持部のカバーを省略した図。
【００３２】
【図８】図１の患者昇降機の部分底面図であって、カバーを省略し、支持部のカバーを省略して真っ直ぐな配置の脚を示す図。
【００３３】
【図９】図１の患者昇降機の部分底面図であって、カバーを省略し、支持部のカバーを省略して真っ直ぐな配置の脚を示す図。
【発明の詳細な説明】
【００３４】
図１および図２に患者昇降機１００の例を示す。患者昇降機１００は、障害者または病人などの患者を、一所から他所に、たとえばベッドから椅子に、移送しつまり運ぶために使用することが可能である。具体的には、後に詳述するように、患者昇降機１００は、床などの表面に着座し、表面に沿って移動可能なベース１０２を含んでいる。患者昇降機１００は、フレーム１０４をさらに含む。フレーム１０４は、ベースに結合された下部１０６および反対側にある上部１０８を有する。患者支持部１１０がフレーム１０４の上部１０８から前方に延びる。患者スリング（不図示）が、たとえば拡張バーを用いて、患者支持部１１０から吊り下げられてよく、ベース１０２が床に沿って移動させられて患者が動かされる間などに、患者がスリング内に固定されてよい。
【００３５】
図１および図２を継続して参照をすると、フレーム１０４は、概して上方に延びる第１のマスト１１２、および概して上方に延びる第２のマスト１１４を含んでいる。第１のマスト１１２および第２のマスト１１４の各々は、フレームの下部１０６に下端部１１６，１１８をそれぞれ有し、反対側にある上端部１２０，１２２をフレームの上部１０８にそれぞれ有している。第１のマスト１１２の下端部１１６は、第２のマスト１１４の下端部１１８から離間して、両者間に間隙１２４を規定している。この間隙は、床から、第１のマスト１１２および第２のマスト１１４の下端部１１６，１１８の上の位置まで、上方に延びている。上端部１２０，１２２は、フレームの上部１０８で、相互に連結されている。
【００３６】
ここに示す実施例において、第１のマスト１１２および第２のマスト１１４は、第１のマスト１１２および第２のマスト１１４を形成するように湾曲した単一の鋼管から一体に形成されている。代替の実施例において、第１のマストおよび第２のマストは別個に形成されて、それらの上部が、たとえば溶接または１つ以上の機械的コネクタによって、後に接合されてよい。さらなる代替の実施例において、上端部は接合されなくてよい。たとえば、上端部は離間していてよい。
【００３７】
図１を継続して参照すると、フレームはさらに、第１のマスト１１２および第２のマスト１１４の下端部１１６，１１８よりも上に、第１のマスト１１２と第２のマスト１１４との間に延在するクロスバー１２６を含む。クロスバー１２６は、フレーム１０４に機械的支持を提供し、間隙１２４の上端を規定する。
【００３８】
図１を継続して参照すると、患者支持部１１０はブーム１２８を含んでおり、ブーム１２８は、フレーム１０４に結合された第１の端部１３０、および、フレーム１０４の前方に位置し、患者スリングを支持するように構成された反対側にある第２の端部１３２を有する。後に詳述するように、ブーム１２８は、フレーム１０４に対して回動可能に搭載されている。
【００３９】
ブームはバー１３４を含み、バー１３４は、後端部１３６および前端部１３８を有している。ブームはさらに、その第１の端部１３０にマウント１４０を含んでいる。マウント１４０は、バー１３４の後端部１３６に固定されており、第１のマスト１１２および第２のマスト１１４の上端部１２０，１２２に搭載されて、ブーム１２８をフレーム１０４に固定している。マウント１４０は、あらゆる適切な態様で、バー１３４の後端部１３６に固定されてよい。マウント１４０は、バー１３４が、以下に詳述するように、ブーム１２８の第２の端部１３２を昇降させるために、概して水平な軸１４１の周りに回転するように、第１のマスト１１２および第２のマスト１１４の上端部１２０，１２２において、フレーム１０４に回動可能に搭載されている。
【００４０】
ブームはさらに、その第２の端部１３２にカップリング１４２を有している。カップリング１４２は、バー１３４の前端部１３８に固定されている。カップリング１４２は、患者がブームの第２の端部１３２から懸下されるように、たとえば拡張バーを用いて、それから懸下される患者スリングを有するように構成されている。
【００４１】
代替の実施例において、患者支持部１１０は、ブームとは別種の支持部を含んでよい。たとえば、患者支持部はシャーシを含んでよい。
【００４２】
図１を継続して参照すると、上述のように、ブーム１２８の第２の端部１３２は、フレーム１０４に対して上下に可動であり、患者スリングに固定された患者を昇降させる。具体的には、患者昇降機１００は昇降アセンブリ１４４を含んでいる。昇降アセンブリ１４４は、底部１４６を有し、フレーム１０４に搭載され、特に、クロスバー１２６に搭載されている。昇降アセンブリ１４４は、さらに、ブーム１２８の第１の端部１３０に、具体的にはバー１３４に搭載された上端部１４７を有している。図２に見られるように、昇降アセンブリ１４４は、概して第１のマスト１１２と第２のマスト１１４との間の中央に配置されている。昇降アセンブリ１４４は、ブームの第２の端部１３２をフレームに対して上下に移動させるように、長さ方向に延び得る。具体的には、昇降アセンブリは、下部シリンダ１５０、および、下部シリンダ１５０に受けられて下部シリンダ１５０に出入りし得る上部シリンダ１５２を含んでいる。上部シリンダ１５２を移動させて下部シリンダ１５０から出すことによって、昇降アセンブリ１４４の長さが増し、バー１３４が、外方に押されて軸１４１の周りに回転され、ブーム１２８の第２の端部１３２およびそれから吊り下げられた患者スリングを上昇させる。
【００４３】
上部シリンダ１５２は、好ましいあらゆる態様で、下部シリンダ１５０に対して移動させてよい。ここに示す実施例では、下部シリンダ１５０および上部シリンダ１５２は、下部シリンダ１５０を回転させることによって上部シリンダ１５２が押し出されるように、歯合するねじ山（不図示）によって互いに固定されている。動力アセンブリ１５４が、下部シリンダ１５０の回転に動力を供給するために備えられている。動力アセンブリ１５４は、たとえば、電池を含んでいる。代替の実施例において、上部シリンダ１５２は、他の態様で、たとえば空気圧または水圧で移動させてよい。
【００４４】
代替の実施例において、ブーム１２８の第２の端部１３２は別の態様で移動させてよく、他の形式の昇降アセンブリ１４４が備えられてもよい。たとえば、軸１４１の周りにブーム１２８を回転させるのではなく、ブーム１２８全体を上昇および下降させてよい。たとえば、フレーム１０４は、高さが増してブーム１２８を上昇および下降させるように、伸縮式としてよい。この実施例では、フレーム１０４自体が昇降アセンブリであってよい。
【００４５】
図１および図２を継続して参照すると、ベース１０２は、フレーム１０４の下端部１０６に結合されて、フレーム１０４を床（または他の面）上で支持する。ベースは、第１の脚１５６および第２の脚１５８を含む。第１の脚１５６は、概して第１のマスト１１２から前方に延び、第２の脚１５８は、概して第２のマスト１１４から前方に延びる。第１の脚１５６と第２の脚１５８の間には間隙１６０が規定される。間隙１６０は、間隙１２４と共に、患者搭載領域１６２を規定し、患者搭載領域１６２は患者スリングへの患者の搭載および積み下ろしを容易にする。具体的には、患者は、患者搭載領域１６２内で、第１、第２の脚１５６，１５８と第１、第２のマスト１１２，１１４との間に位置してよい。たとえば、患者は、患者搭載領域１６２内で、床に横たわってよい。間隙１２４、１６０のおかげで、患者は比較的快適に横たわり、たとえば、患者昇降機１００のどの部品の周囲にも脚を位置させることなく、仰向きに寝そべってよい。次いで、患者スリングが患者に固定されて、患者を上昇させるためにブーム１２８が上げられてよい。第１、第２のマスト１１２，１１４と第１、第２の脚１５６，１５８とが、患者搭載領域１６２を規定するために離間しているこの実施例においては、患者昇降機１００は、オープンベース患者昇降機１００と呼んでよい。
【００４６】
図３および図４を参照すると、第１の脚１５６および第２の脚１５８は、回転可能である。具体的には、第１の脚１５６および第２の脚１５８は各々、第１のマスト１１２および第２のマスト１１４にそれぞれ結合された内端部１６４、１６６と、それぞれ第１のマスト１１２および第２のマスト１１４の前方に位置する外端部１６８，１７０を有している。第１の脚１５６の内端部１６４は、概して垂直な第１の軸１７２（図５に示す）の周りに回動可能に、第１のマスト１１２の下端部１１６に結合されており、第２の脚１５８の内端部１６６は、概して垂直な第２の軸（不図示）の周りに回動可能に、第２のマスト１１４の下端部１１８に結合されている。第１の脚１５６および第２の脚１５８は、第１の軸１７２および第２の軸の周りに回動して、外端部１６８、１７０を、図３および図４に示すように、互いに対して近づくようにおよび離れるように移動させる。外端部１６８、１７０を互いに対して離れるように移動させることで、患者搭載領域１６２の大きさが増す。これは、たとえば、大きな患者を収容するとき、または、車いすなどを収容するときに、行われてよい。
【００４７】
第１の脚１５６の動きを制御する駆動アセンブリについて、以下に説明する。
【００４８】
再び図１を参照すると、第１の前輪１５５が第１の脚１５６の外端部１６８に搭載され、第２の前輪１５７が第２の脚１５８の外端部１７０に搭載される。第１の前輪１５５および第２の前輪１５７は、患者を移送するために、ベース１０４が床に沿って前方または後方に押されたとき、ならびに、第１、第２の脚１５６，１５８の外端部１６８，１７０が、互いに対して近づくようにおよび離れるように移動させられたときに、床に係合して床に沿って転がるように構成されている。具体的には、ここに示す例において、第１の前輪１５５および第２の前輪１５７はキャスターである。
【００４９】
代替の実施例において、第１の前輪１５５および第２の前輪１５７は、キャスターでなくてよい。たとえば、第１の前輪１５５および第２の前輪１５７は、たとえば患者昇降機１００を床に沿って移動させるための、単一の軸のみの周りに回転可能な車輪であってよい。脚１５６，１５８が回転するとき、第１の前輪１５５および第２の前輪１５７は、床に沿って滑ってよい。これに代えて、第１の前輪１５５および第２の前輪１５７は持ち上げ可能でよく、脚１５６，１５８が回転するとき、第１の前輪１５５および第２の前輪１５７は床に係合しない。
【００５０】
ここで、第１の脚１５６が回動可能に第１のマスト１１２に結合される態様を、説明する。第２の脚１５８は、同じまたは類似の態様で、第２のマスト１１４に結合されるので、ここではその詳細な説明は省略する。
【００５１】
図５を参照すると、第１の脚１５６は、回動可能に第１のマスト１１２に結合されており、第１の軸１７２は第１のマスト１１２の下端部１１６を通って延びる。すなわち、第１の脚１５６の回動点は、第１のマスト１１２の下端部１１６の直下である。ベース１０２は、第１のマスト１１２の下端部１１６に搭載され第１のマスト１１２の下端部１１６の下に位置する、第１の回動ピン１７６を含む。第１の脚１５６の内端部１６４は、第１の回動ピン１７６に受けられて、その周りに回動可能である。具体的には、第１の回動ピン１７６はボス１７８を含む。第１のマスト１１２の下端部１１６は中空であり、ボス１７８はそこに受け入れ可能である。ボスは、第１のマスト１１２の下端部に、たとえば溶接で、固定されてよい。第１の回動ピン１７６は、さらに、ボス１７８から下方に延びる円筒状本体部１８０を含む。第１の脚１５６の内端部１６４は、概して垂直に延びる筒１８２を含んでいる。第１の回動ピン１７６の本体部１８０は、筒１８２に受け入れ可能であり、C字クリップ１８４によって筒１８２に固定される。第１の脚１５６は、筒１８２を本体部１８０の周りに回転させることによって、回動されてよい。
【００５２】
図６を参照すると、筒１８２は床から離間している。したがって、この実施例においては、第１の前輪１５５および第２の前輪１５７は、第１のマスト１１２および第２のマスト１１４の前方に位置する唯一の地面係合構造である。
【００５３】
再び図１を参照すると、患者昇降機１００は、さらに、第１のマスト１１２の後方に延びて第１のマスト１１２の下端部１１６の後方の床に係合する第１の支持部１８６、および、第２のマスト１１４の後方に延びて第２のマスト１１４の下端部１１８の後方の床に係合する第２の支持部１８８を含んでいる。第１の支持部１８６および第２の支持部１８８は、患者昇降機１００が後方に倒れるのを防止する働きをし、また床上で患者昇降機を支持する。ここで、第１の支持部１８６を詳細に説明する。第２の支持部１８８は、第１の支持部１８６と同じまたは類似であってよいので、ここではその詳細な説明は省略する。
【００５４】
図５を参照すると、第１の支持部１８６は、第１のマスト１１２の下端部１１６から後方に延びる下部支柱１９０を含んでいる。下部支柱１９０は、第１のマスト１１２に隣接する第１の端部１９２および反対側にある第２の端部１９４を有している。第１の支持部１８６は、さらに、下部支柱１９０の第１の端部１９２の上方の位置にて、第１のマスト１１２から下方かつ後方に延びる上部支柱１９６を含んでいる。上部支柱１９６は、第１のマスト１１２に隣接する第１の端部１９８、および、反対側にある第２の端部２００であって下部支柱１９０の第２の端部１９４に接合された第２の端部２００を有している。第１の支持部１８６は、さらに、下部支柱１９０の第１の端部１９２と上部支柱１９６の第１の端部１９８との間に延在する内部支柱２０２を含む。下部支柱１９０、上部支柱１９６および内部支柱２０２は、溶接によって相互に接合されて、三角形を形成しており、この三角形は第１のマスト１１２の下端部１１６に溶接されている。
【００５５】
図５を継続して参照すると、地面に係合する後輪２０４が、下部支柱１９０の第２の端部１９４に搭載されている。後輪２０４は、床上で患者昇降機を支持し、患者昇降機１００を移動させて患者を移送するときに、床に沿って転がる。代替の実施例において、後輪２０４は、第１の支持部１８６の別の部位に、たとえば上部支柱１９６の第２の端部１９４に、搭載されてもよい。ここに示す実施例においては、後輪はキャスターである。代替の実施例において、キャスター以外の別類の車輪が、第１の支持部１８６に搭載されてよい。
【００５６】
再び図１を参照すると、第１の支持部１８６は第１の筐体２０５を含み、筐体２０５は下部支柱１９０、上部支柱１９６および内部支柱２０２を収容する。第２の支持部１８８は、同様な第２の筐体２０７を含んでいる。
【００５７】
図３および図４に見られるように、ここに示す実施例において、第１の脚１５６および第２の脚１５８が、概して真っ直ぐな配置と概して開いた配置のどちらであるかにかかわらず、第１の支持部１８６および第２の支持部１８８は概して同じ位置に留まる。つまり、第１、第２の支持部１８６，１８８は、第１の脚１５６および第２の脚１５８が外方に回動するにつれて内方に回動し、したがって、患者搭載領域１６２の大きさを低減させない。
【００５８】
代替の実施例において、支持部１８６，１８８は、別の態様で構成してよい。たとえば、第１の支持部は、第１のマスト１１２に搭載されるのではなく、第１の脚１５６から後方に延びてよい。たとえば、第１の支持部は、第１の脚１５６の筒１８２と一体に形成され、または、筒１８２に搭載されてよい。
【００５９】
さらに代替の実施例において、患者昇降機１００は、支持部１８６，１８８を含まなくてもよい。たとえば、車輪は、床上でベース１０２を支持するために、脚の内端部１６４，１６６に搭載されてよい。
【００６０】
次に図６および図７を参照して、第１の脚１５６の動きを制御する第１の駆動アセンブリ２０６を詳細に説明する。第２の脚の動きを制御する第２の駆動アセンブリは、第１の駆動アセンブリ２０６と同じであるか類似していてよく、ここでは詳述しない。
【００６１】
第１の駆動アセンブリ２０６は、第１のマスト１１２の後方に位置し、モータ２０８を含んでおり、モータ２０８は、第１の脚１５６の内端部１６４に駆動可能に接続されており、第１の脚１５６を移動させる。具体的には、第１の駆動アセンブリ２０６はアーム２１０を含んでおり（図５に最も明瞭に示される）、アーム２１０は、第１の脚１５６の内端部１６４に搭載され、そこから後方に延びる。ここに示す実施例において、アーム２１０は、筒１８２と一体に形成されており、そこから後方に延びる。第１の駆動アセンブリ２０６は、アーム２１０を第１の軸１７２の周りに前後に回転させ、その結果、第１の脚１５６を第１の軸１７２の周りに回転させる。
【００６２】
図６および図７を継続して参照すると、モータ２０８をアーム２１０に駆動可能に接続するために、ウォームスクリュー２１２が備えられている。ウォームスクリュー２１２は、アーム２１０に対して概して横に延びている。ウォームスクリュー２１２は、ウォームスクリュー２１２をその長手軸の周りに回転させるモータ２０８によって駆動される。具体的には、モータ２０８は、第１のギア２１４に駆動可能に接続されており、第１のギア２１４は、ウォームスクリュー２１２の周囲に搭載された第２のギア２１６に駆動可能に接続されている。モータは第１のギア２１４を回転させ、第１のギア２１４は第２のギア２１６を回転させ、第２のギア２１６はウォームスクリューを回転させる。
【００６３】
図６および図７を継続して参照すると、ブラケット２１８がウォームスクリュー２１２に搭載されている。ブラケット２１８は、ウォームスクリュー２１２の回転に応じて、ウォームスクリュー２１２の長手に沿って前後に移動可能である。コネクタ２２０がブラケット２１８をアーム２１０に接続している。具体的には、コネクタ２２０は、ブラケット２１８から下方に延びるピン２２２を含む。ピン２２２は、アーム２１０の開口２２４（図５に示す）に受けられて、アーム２１０がピン２２２に対して回動し得るように、開口２２４内に固定されている。
【００６４】
次に図８を参照すると、脚１５６は、概して真っ直ぐな配置で延びるように示されている。モータ２０８が係合されたとき、モータ２０８は第１のギア２１４を駆動し、第１のギア２１４は第２のギア２１６を駆動する。第２のギア２１６の回転は、ウォームスクリュー２１２を回転させ、これがブラケット２１８をウォームスクリュー２１２に沿って移動させる。ブラケット２１８の動きは、アーム２１０を軸１７２の周りに回動させ、これが脚１５６を軸１７２の周りに回動させて、図９に示したように、概して開いた配置に導く。脚１５６を真っ直ぐな配置に戻すためには、モータ２０８を逆方向に係合させる。
【００６５】
モータ２０８は、適切な態様で電力を供給されてよい。たとえば、モータ２０８のための電池（不図示）が昇降アセンブリ１４４のための電源アセンブリ１５４と共に収容されてよい。バッテリーをモータ２０８に接続する電気的接続が、第１のマスト１１２内に収容されてよい。モータ２０８を制御するためのスイッチ（不図示）が、患者昇降機１００の適切な位置、たとえば電源アセンブリ１５４上に、備えられてよい。
【００６６】
再び図６を参照すると、ここに示す実施例において、第１の駆動アセンブリ２０６は、第１の支持部１８６に搭載される。具体的には、図７を参照すると、モータ２０８はブラケット２２６に搭載され、ブラケット２２６は下部支柱１９０に固定されている。第１のギア２１４は、ブラケット２２６にも固定されている。下部支柱は、その内部に規定されたスロット２３０を有する。ウォームスクリュー２１２は、第２のギア２１６およびブラケット２１８と共に、回転可能に筺体２２８に搭載されている。筺体２２８は、下部支柱１９０に固定され、下部支柱の下方に位置する。第２のギア２１６は、スロット２３０を通って第１のギア２１４に係合する。第１の駆動アセンブリ２０６は、筺体２０５に収容されており、隠蔽され保護されている。
【００６７】
代替の実施例において、第１の駆動アセンブリ２０６は、他の好適な態様で構成されてよい。
【００６８】
上記の説明においては、患者支持部から吊り下げられる患者スリングを参照した。患者スリングは、患者を患者支持部から吊り下げることを可能にする適切ないかなる構成であってもよいことが、理解されよう。
【００６９】
ここまで、各請求項に記載の発明の実施例を提供する様々な装置および方法を説明した。どの実施例も、いかなる請求項に記載の発明を限定するものではなく、また、どの請求項に記載の発明も、説明されていない方法または装置を包含してよい。請求項に記載の発明は、説明したいずれか１つの装置または方法の全ての特徴を有する装置または方法、または、説明した複数のまたは全ての装置に共通の特徴に、限られるものではない。説明した装置または方法が、いずれかの請求項に記載した発明の実施形態でないこともあり得る。出願人は、そのような装置または方法を他の出願において請求する権利を留保する。
【図１】
2013519457.tif 000003
【図２】
2013519457.tif 000004
【図３】
2013519457.tif 000005
【図４】
2013519457.tif 000006
【図５】
2013519457.tif 000007
【図６】
2013519457.tif 000008
【図７】
2013519457.tif 000009
【図８】
2013519457.tif 000010
【図９】
2013519457.tif 000011
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
オープンベース患者昇降機であって、
ａ）概して上方に延びる第１のマストおよび概して上方に延びる第２のマストを含むフレームであって、下部および反対側にある上部を含み、前記第１のマストおよび前記第２のマストが各々前記フレームの前記下部に下端部を含み、前記第２のマストの前記下端部が前記第１のマストの前記下端部から離間して両者間に間隙を規定するフレームと、
ｂ）前記フレームの前記上部から前方に延びる患者支持部と、
ｃ）前記フレームの前記下部に結合されて、床上で前記フレームを支持するベースとを備え、
前記ベースは、（ｉ）前記第１のマストから概して前方に延びる第１の脚と、（ｉｉ）前記第２のマストから概して前方に延びる第２の脚とを備え、
前記第１の脚は、概して垂直な第１の軸であって前記第１のマストの前記下端部を通って延びる第１の軸の周りに回動可能に前記第１のマストの前記下端部に結合された内端部と、反対側にある外端部であって前記第１のマストの前方に位置する外端部を含み、
前記第２の脚は、概して垂直な第２の軸であって前記第２のマストの前記下端部を通って延びる第２の軸の周りに回動可能に前記第２のマストの前記下端部に結合された内端部と、反対側にある外端部であって前記第２のマストの前方に位置する外端部を含み、
前記第１の脚および前記第２の脚が、それぞれ前記第１の軸および前記第２の軸の周りに回動可能で、前記第１の脚および前記第２の脚の前記外端部を互いに対して近づくようにおよび離れるように移動させるベース、を含むことを特徴とするオープンベース患者昇降機。
【請求項２】
前記第１のマストの前記下端部に搭載されて、前記第１のマストの前記下端部の下方に位置する第１の回動ピン、および、前記第２のマストの前記下端部に搭載されて、前記第２のマストの前記下端部の下方に位置する第２の回動ピンをさらに含み、前記第１の脚の前記内端部が、前記第１の回動ピンに受けられて、前記第１の回動ピンの周りに回動可能であり、前記第２の脚の前記内端部が、前記第２の回動ピンに受けられて、前記第２の回動ピンの周りに回動可能であることを特徴とする請求項１に記載のオープンベース患者昇降機。
【請求項３】
前記第１の脚および前記第２の脚の動きをそれぞれ制御する第１の駆動アセンブリおよび第２の駆動アセンブリをさらに含み、各駆動アセンブリが、前記第１の脚および前記第２の脚の一方の前記内端部に駆動可能に結合されたモータを含むことを特徴とする請求項１または２に記載のオープンベース患者昇降機。
【請求項４】
各駆動アセンブリが、前記第１の脚および前記第２の脚の一方の前記内端部に搭載されて、前記内端部から後方に延びるアームをさらに含み、各駆動アセンブリが、前記アームの対応する一方を、前記第１の軸および前記第２の軸の対応する一方の周りに、前後に回転させるように構成されていることを特徴とする請求項３に記載のオープンベース患者昇降機。
【請求項５】
各駆動アセンブリが、
ａ）前記アームに対して概して横切るように延びるウォームスクリューであって、前記モータによって駆動されてその長手軸の周りに回転するウォームスクリュー、
ｂ）前記ウォームスクリューに搭載され、前記ウォームスクリューの回転に応じてその長さ方向に移動可能なブラケット、および
ｃ）前記ブラケットを前記アームに結合するコネクタをさらに含むことを特徴とする請求項４に記載のオープンベース患者昇降機。
【請求項６】
前記第１の駆動アセンブリが前記第１のマストの後方に位置し、前記第２の駆動アセンブリが前記第２のマストの後方に位置することを特徴とする請求項３乃至５のいずれか１項に記載のオープンベース患者昇降機。
【請求項７】
前記第１のマストの後方に延びて前記第１のマストの前記下端部の後方で床に係合する第１の支持部、および前記第２のマストの後方に延びて前記第２のマストの前記下端部の後方で床に係合する第２の支持部をさらに含むことを特徴とする請求項１乃至６のいずれか１項に記載のオープンベース患者昇降機。
【請求項８】
前記第１の駆動アセンブリが前記第１の支持部に搭載され、前記第２の駆動アセンブリが前記第２の支持部に搭載されることを特徴とする請求項７に記載のオープンベース患者昇降機。
【請求項９】
前記第１の支持部および第２の支持部が、各々、
ａ）前記第１のマストおよび前記第２のマストの一方の前記下端部から後方に延びる下部支柱であって、前記第１のマストおよび前記第２のマストの一方に隣接する第１の端部、および反対側にある第２の端部を有する下部支柱、ならびに
ｂ）前記下部支柱の前記第１の端部の上方の位置において前記第１のマストおよび前記第２のマストの一方から下方かつ後方に延びる上部支柱を含み、前記上部支柱は、前記第１のマストおよび前記第２のマストの一方に隣接する第１の端部、および反対側にある第２の端部であって前記下部支柱の前記第２の端部に接合された第２の端部を有することを特徴とする請求項７または８に記載のオープンベース患者昇降機。
【請求項１０】
前記第１の支持部および前記第２の支持部が、各々、前記下部支柱および前記上部支柱の一方の前記第２の端部に搭載された地面係合後輪をさらに含むことを特徴とする請求項９に記載のオープンベース患者昇降機。
【請求項１１】
前記第１の駆動アセンブリならびに前記第１の支持部の前記下部支柱および前記上部支柱を収容する第１の筺体、ならびに前記第２の駆動アセンブリならびに前記第２の支持部の前記下部支柱および前記上部支柱を収容する第２の筺体をさらに含むことを特徴とする請求項９または１０に記載のオープンベース患者昇降機。
【請求項１２】
前記第１の脚の前記外端部に搭載された第１の前輪および前記第２の脚の前記外端部に搭載された第２の前輪をさらに含むことを特徴とする請求項１乃至１１のいずれかに記載のオープンベース患者昇降機。
【請求項１３】
前記第１の前輪および前記第２の前輪は、前記ベースが前記床に沿って前方または後方に押されるとき、および、前記第１の脚および前記第２の脚の前記外端部が互い対して近づくようにまたは離れるように移動させられるときに、前記床に係合して前記床に沿って転がるように構成されていることを特徴とする請求項１２に記載のオープンベース患者昇降機。
【請求項１４】
前記第１の前輪および前記第２の前輪がキャスターであることを特徴とする請求項１２または１３に記載のオープンベース患者昇降機。
【請求項１５】
前記第１のマストおよび前記第２のマストが、各々、前記フレームの前記下端部に反対側にある上端部を前記フレームの前記上部に含み、これらの上端部が互いに接合されていることを特徴とする請求項１乃至１４のいずれかに記載のオープンベース患者昇降機。
【請求項１６】
前記間隙が、前記床から、前記第１のマストの前記下端部および前記第２のマストの前記下端部の上方の位置まで、上方に延びることを特徴とする請求項１乃至１５のいずれかに記載のオープンベース患者昇降機。
【請求項１７】
前記患者支持部が、前記フレームに結合された第１の端部、及び反対側にある第２の端部を含むブームを備え、前記第２の端部は、前記フレームの前方に位置し患者のスリングを支持するように構成され、且つ前記フレームに対して上方および下方に移動可能であることを特徴とする請求項１乃至１６のいずれかに記載のオープンベース患者昇降機。
【国際調査報告】
2013519457.tif 000012
2013519457.tif 000013